(57)【要約】【課題】レンズバリア装置の構造の簡素化、部品点数の削減、低コスト化等を図る。【解決手段】開口部１０ａを有するベース１０、開口部を開閉し得るべくベースに対して揺動自在に支持されたバリア羽根２１，２２、バリア羽根を開閉駆動する駆動機構、バリア羽根及び駆動機構を覆うべくベースに結合されると共に開口部４０ａを有するカバー４０を備え、駆動機構は、ベースに沿って回動するように形成された円弧部３１、円弧部に連続して形成されて外力が及ぼされる外力作用部３２、回動方向に伸縮自在で引っ張り又は押圧の付勢力を発生するべく円弧部に連続して形成された弾性変形部３３，３４、バリア羽根に係合するべく弾性変形部に連続して形成された係合部３５，３６を一体的に画定する弾性回動部材３０を含む。これによれば、従来の装置に比べて部品数が少なく、構造の簡素化、装置の小型化、薄型化、低コスト化等を達成できる。【選択図】図６
2010085784.tif 000002
【特許請求の範囲】
【請求項１】
レンズの光軸方向に開口する開口部を有するベースと、前記開口部を開閉し得るべく前記ベースに対して揺動自在に支持されたバリア羽根と、前記バリア羽根を開閉駆動する駆動機構と、前記バリア羽根及び駆動機構を覆うべく前記ベースに結合されると共にレンズの光軸方向に開口する開口部を有するカバーと、を備えたレンズバリア装置であって、
前記駆動機構は、前記ベースに沿って回動するように形成された円弧部と、前記円弧部に連続して形成されて外力が及ぼされる外力作用部と、回動方向に伸縮自在で引っ張り又は押圧の付勢力を発生するべく前記円弧部に連続して形成された弾性変形部と、前記バリア羽根に係合するべく前記弾性変形部に連続して形成された係合部とを一体的に画定する弾性回動部材を含む、
ことを特徴とするレンズバリア装置。
【請求項２】
前記弾性回動部材は、光軸を中心として略円弧状でかつ光軸方向に薄板状に形成されており、
前記ベースは、前記弾性回動部材を回動自在にガイドするべく光軸方向に突出して形成された外周リブを有する、
ことを特徴とする請求項１に記載のレンズバリア装置。
【請求項３】
前記バリア羽根は、互いに協働して前記開口部を開閉する第１バリア羽根及び第２バリア羽根を含み、
前記弾性回動部材は、前記円弧部の両端に連続して形成された２つの前記弾性変形部と、前記弾性変形部にそれぞれ連続して形成され前記第１バリア羽根及び第２バリア羽根にそれぞれ係合する２つの前記係合部を含む、
ことを特徴とする請求項１又は２に記載のレンズバリア装置。
【請求項４】
前記駆動機構は、前記ベースに沿って回動するように形成された円弧部と、回動方向に伸縮自在で引っ張り又は押圧の付勢力を発生するべく前記円弧部の両端に連続して形成された２つの弾性変形部と、前記弾性変形部にそれぞれ連続して形成され前記第１バリア羽根及び第２バリア羽根にそれぞれ係合する２つの係合部とを一体的に画定すると共に、前記ベース上において前記弾性回動部材と対向するように配置された第２の弾性回動部材を含む、
ことを特徴とする請求項３に記載のレンズバリア装置。
【請求項５】
前記弾性回動部材は、樹脂材料により形成されている、
ことを特徴とする請求項１ないし４いずれかに記載のレンズバリア装置。
【発明の詳細な説明】
【技術分野】
【０００１】
本発明は、デジタルスチルカメラ、デジタルビデオカメラ等のカメラのレンズを保護するレンズバリア装置に関し、特に、小型で薄型のデジタルスチルカメラ等に好適なレンズバリア装置に関する。
【背景技術】
【０００２】
カメラの前面を開閉する従来のレンズバリア装置としては、開口部を有するバリア基板、バリア基板の支軸に対して揺動自在に支持された一対のバリア羽根、一対のバリア羽根を閉じ方向に付勢する２つの捩りスプリング、一対のバリア羽根を開閉駆動する駆動リング、一対のバリア羽根を開放させる方向に駆動リングを回転付勢する引張り力を及ぼす２つのコイルスプリング、バリア基板に連結されるカバー板等を備えたものが知られている（例えば、特許文献１参照）。
【０００３】
しかしながら、このバリア装置においては、一対のバリア羽根を付勢する２つの捩りスプリング、一対のバリア羽根を開閉駆動する駆動リング、駆動リングを回転付勢する２つのコイルスプリング等が、それぞれ独立した部品として設けられているため、部品点数が多く、又、これらの部品を支持する支持ピン、掛止突起、ガイド部材等種々の機能をもつ部分をバリア基板あるいはカバー部材に形成する必要があり、構造が複雑で、組み付け作業も面倒である。また、部品同士が重なり合って、装置全体が厚くなってしまう。
一方、デジタルカメラ等の薄型化、小型化等の要望に応じるべく、レンズバリア装置の薄型化、小型化、軽量化等も望まれている。
【０００４】
【特許文献１】特開２００４−１８４５８５号公報
【発明の開示】
【発明が解決しようとする課題】
【０００５】
本発明は、上記の事情に鑑みて成されたものであり、その目的とするところは、部品点数の削減、構造の簡素化、部材形状の簡略化、低コスト化、軽量化等を図りつつ、円滑な開閉動作が得られて、特に薄型化及び小型化等が要求されるデジタルスチルカメラ、デジタルビデオカメラ等に好適なレンズバリア装置を提供することにある。
【課題を解決するための手段】
【０００６】
本発明のレンズバリア装置は、レンズの光軸方向に開口する開口部を有するベースと、開口部を開閉し得るべくベースに対して揺動自在に支持されたバリア羽根と、バリア羽根を開閉駆動する駆動機構と、バリア羽根及び駆動機構を覆うべくベースに結合されると共にレンズの光軸方向に開口する開口部を有するカバーとを備えたレンズバリア装置であって、上記駆動機構は、ベースに沿って回動するように形成された円弧部と、円弧部に連続して形成されて外力が及ぼされる外力作用部と、回動方向に伸縮自在で引っ張り又は押圧の付勢力を発生するべく円弧部に連続して形成された弾性変形部と、バリア羽根に係合するべく弾性変形部に連続して形成された係合部とを一体的に画定する弾性回動部材を含む、ことを特徴としている。
この構成によれば、ベースに対して、バリア羽根を揺動自在に組み付け、弾性回動部材を回動自在に組み付け、バリア羽根及び弾性回動部材を覆うようにカバーをベースに組み付けることで、装置の組み付けが完了する。
そして、この装置においては、外力作用部から回動力が及ぼされると、弾性回動部材が（円弧部、弾性変形部、係合部が一体となって）光軸回りに回動して、弾性変形部が適宜弾性的に伸縮して（圧縮変形又は引っ張り変形させられて）、係合部がバリア羽根の一部を押圧し又は引っ張り、バリア羽根を開口部の開放位置に又は閉鎖位置に移動させることができる。
また、閉鎖状態において、バリア羽根を開けようとする外力が作用した場合、弾性変形部が適宜弾性的に変形して、バリア羽根の開き動作を許容するため、バリア羽根やその他の部品の破損等を防止することができる。
さらに、レンズバリア装置は、ベース、バリア羽根、弾性回動部材、カバーにより構成されるため、従来の装置に比べて部品数が少なく、構造の簡素化、装置の小型化、薄型化、低コスト化等を達成しつつ、バリア羽根を円滑に開閉駆動することができる。
【０００７】
上記構成において、弾性回動部材は、光軸を中心として略円弧状でかつ光軸方向に薄板状に形成されており、ベースは、弾性回動部材を回動自在にガイドするべく光軸方向に突出して形成された外周リブを有する、構成を採用することができる。
この構成によれば、弾性回動部材が円弧状でかつ薄板状に形成されているため、光軸方向において装置を薄型化でき、又、弾性回動部材がベースの外周リブに沿って回動自在となっているため、ベースの形状を簡略化しつつ弾性回動部材を円滑に回動させることができる。
【０００８】
上記構成において、バリア羽根は、互いに協働して開口部を開閉する第１バリア羽根及び第２バリア羽根を含み、弾性回動部材は、円弧部の両端に連続して形成された２つの弾性変形部と、弾性変形部にそれぞれ連続して形成され第１バリア羽根及び第２バリア羽根にそれぞれ係合する２つの係合部を含む、構成を採用することができる。
この構成によれば、外力作用部に一方向の回動力を及ぼして、弾性回動部材を一方向に回転させると、一方の弾性変形部が弾性的に引っ張られて引っ張り力を発生し、一方の係合部が第１バリア羽根を閉じ方向に回転させ、又、他方の弾性変形部が弾性的に圧縮されて押圧力を発生し、他方の係合部が第２バリア羽根を閉じ方向に回転させる。一方、外力作用部に他方向の回動力を及ぼして、弾性回動部材を他方向に回転させると、一方の弾性変形部が弾性的に圧縮されて押圧力を発生し、一方の係合部が第１バリア羽根を開き方向に回転させ、又、他方の弾性変形部が弾性的に引っ張られて引っ張り力を発生し、他方の係合部が第２バリア羽根を開き方向に回転させる。
また、閉鎖状態において、第１バリア羽根及び第２バリア羽根を開けようとする外力が作用した場合、２つの弾性変形部が適宜弾性的に変形して、第１バリア羽根及び第２バリア羽根の開き動作を許容するため、第１バリア羽根及び第２バリア羽根やその他の部品の破損等を防止することができる。
このように、一つの弾性回動部材が２つの弾性変形部及び２つの係合部を有することにより、２つのバリア羽根を開閉駆動して、開口部を開閉させることができる。
【０００９】
上記構成において、駆動機構は、ベースに沿って回動するように形成された円弧部と、回動方向に伸縮自在で引っ張り又は押圧の付勢力を発生するべく円弧部の両端に連続して形成された２つの弾性変形部と、弾性変形部にそれぞれ連続して形成され第１バリア羽根及び第２バリア羽根にそれぞれ係合する２つの係合部とを一体的に画定すると共に、ベース上において上記弾性回動部材と対向するように配置された第２の弾性回動部材を含む、構成を採用することができる。
この構成によれば、ベース上には、開口部を挟みかつ第１バリア羽根及び第２バリア羽根を挟むように、弾性回動部材と第２の弾性回動部材とが対向して配置されており、弾性回動部材の外力作用部に一方向の回動力を及ぼして、弾性回動部材及び第２弾性回動部材を一方向に回転させると、それぞれの弾性変形部が圧縮されて押圧力を発生し、弾性回動部材及び第２の弾性回動部材の一方の係合部同士が第１バリア羽根を閉じ方向に回転させ、又、弾性回動部材及び第２の弾性回動部材の他方の係合部同士が第２バリア羽根を閉じ方向に回転させる。一方、外力作用部に他方向の回動力を及ぼして、弾性回動部材及び第２の弾性回動部材を他方向に回転させると、それぞれの弾性変形部が圧縮されて押圧力を発生し、弾性回動部材及び第２の弾性回動部材の一方の係合部同士が第１バリア羽根を開き方向に回転させ、又、弾性回動部材及び第２の弾性回動部材の他方の係合部同士が第２バリア羽根を開き方向に回転させる。
また、閉鎖状態において、第１バリア羽根及び第２バリア羽根を開けようとする外力が作用した場合、４つの弾性変形部が適宜弾性的に変形して、第１バリア羽根及び第２バリア羽根の開き動作を許容するため、第１バリア羽根及び第２バリア羽根やその他の部品の破損等を防止することができる。
このように、２つの弾性回動部材が対向して配置され、各々の係合部を介して弾性変形部が２つのバリア羽根に押圧力を及ぼすことにより、２つのバリア羽根を開閉駆動して、開口部を開閉させることができる。
【００１０】
上記構成において、弾性回動部材は、樹脂材料により形成されている、構成を採用することができる。
この構成によれば、弾性変形を得るために金属製のバネ材料を用いる場合に比べて、コストを低減でき、弾性変形部を含めた全体の成型を容易に行うことができ、軽量化も達成することができる。
【発明の効果】
【００１１】
上記構成をなすレンズバリア装置によれば、部品点数の削減、構造の簡素化、部材形状の簡略化、低コスト化、軽量化等を達成しつつ、円滑な開閉動作が得られて、特に薄型化及び小型化等が要求されるデジタルスチルカメラ、デジタルビデオカメラ等に好適なレンズバリア装置を得ることができる。
【発明を実施するための最良の形態】
【００１２】
以下、本発明の最良の実施形態について、添付図面を参照しつつ説明する。
図１ないし図７は、本発明に係るレンズバリア装置の一実施形態を示すものであり、図１はレンズバリア装置を搭載したデジタルスチルカメラの外観斜視図、図２はデジタルスチルカメラの分解斜視図、図３はレンズバリア装置の斜視図、図４はレンズバリア装置のカバーを外した分解斜視図、図５はレンズバリア装置においてカバーを外した状態での内部を示す平面図、図６はレンズバリア装置のカバーを外した分解斜視図、図７はレンズバリア装置においてカバーを外した状態での内部を示す平面図である。
【００１３】
デジタルスチルカメラは、図１及び図２に示すように、筐体１、筐体１の中央に設けられた沈動式のレンズ鏡筒２、レンズ鏡筒２の先端に設けられたレンズバリア装置Ｍ、レンズバリア装置Ｍを覆う開口部３ａを有するフロントカバー３、レンズ鏡筒２の後方に収容された撮像素子（不図示）、その他種々の部品、制御基板（不図示）等を備えている。
レンズ鏡筒２は、不使用時に光軸Ｌ方向の後方に繰り込む（沈動する）と、回転筒２ａが一方向に回転して一方向への回転駆動力をレンズバリア装置Ｍに及ぼし、バリア羽根２１，２２が開口部３ａ（１０ａ，４０ａ）を閉鎖し、又、使用時に光軸Ｌ方向の前方に繰り出すと共に、回転筒２ａが他方向に回転して他方向への回転駆動力をレンズバリア装置Ｍに及ぼし、バリア羽根２１，２２が開口部３ａ（１０ａ，４０ａ）を開放するようになっている。
【００１４】
レンズバリア装置Ｍは、図３（ａ），（ｂ）、図４ないし図７に示すように、略円板状に形成されたベース１０、ベース１０に対して揺動自在に支持された第１バリア羽根２１及び第２バリア羽根２２、駆動機構としての弾性回動部材３０、ベース１０に結合される略円板状のカバー４０等を備えている。
【００１５】
ベース１０は、図３ないし図７に示すように、光軸Ｌ方向に開口部する略矩形の開口部１０ａを中央に画定する平坦な円板部１１、円板部１１から光軸方向Ｌに突出する円筒状の外周リブ１２、円板部１１において光軸方向Ｌに突出する２つの支軸１３、第１バリア羽根２１及び第２バリア羽根２２を開放位置に停止させる２つのストッパ１４、弾性回動部材３０をガイドする２つのガイド部１５、弾性回動部材３０の係合部３５，３６に対応する領域に形成された２つの長孔１６、カバー４０を結合するための４つの円柱状の嵌合部１７等を備えている。
【００１６】
円板部１１は、光軸Ｌに垂直な方向に平坦に形成され、第１バリア羽根２１及び第２バリア羽根２２を摺動自在に支持すると共に弾性回動部材３０を摺動自在に支持するように形成されている。
外周リブ１２は、光軸Ｌを中心とする円筒状に形成されており、その内周面によって、円弧状をなす弾性回動部材３０を回動自在に支持するように形成されている。
２つの支軸１３は、それぞれ第１バリア羽根２１の円孔２１ａ及び第２バリア羽根２２の円孔２２ａに嵌合されて、第１バリア羽根２１及び第２バリア羽根２２を揺動自在に支持するように形成されている。
２つのストッパ１４は、図６及び図７に示すように、開口部１０ａを全開する開放位置において、第１バリア羽根２１及び第２バリア羽根２２を停止させて位置決めするように形成されている。
ガイド部１５は、図４ないし図７に示すように、光軸Ｌを中心とする円弧状に形成されており、外周リブ１２と協働して弾性回動部材３０の円弧部３１を挟み込むことで、弾性回動部材３０を光軸Ｌ回りに回動自在に案内するように形成されている。尚、ガイド部１５は一方のみでもよい。
尚、ここでは、２つのガイド部１５が光軸Ｌを中心として点対称に形成されており、弾性回動部材３０を２箇所のうちいずれの側にも配置できるようになっている。
２つの長孔１６は、図３（ａ）に示すように、弾性回動部材３０の２つの係合部３５，３６に形成されたピン３５ａ，３６ａを、周方向において可動に受け入れるように形成されている。
４つの嵌合部１７は、カバー４０の嵌合孔４４に嵌合されて、カバー４０をベース１０に結合させるように形成されている。
【００１７】
第１バリア羽根２１は、図３ないし図７に示すように、光軸Ｌ方向において薄板状に形成されており、支軸１３が通される円孔２１ａ、弾性回動部材３０の係合部３５が係合されるＵ字状の係合部２１ｂを画定している。
第２バリア羽根２２は、図３ないし図７に示すように、光軸Ｌ方向において薄板状に形成されており、支軸１３が通される円孔２２ａ、弾性回動部材３０の係合部３６が係合されるＵ字状の係合部２２ｂを画定している。
すなわち、第１バリア羽根２１及び第２バリア羽根２２は、同一形状に形成されており、光軸Ｌを中心として点対称に配置されている。
【００１８】
弾性回動部材３０は、弾性変形可能な樹脂材料を用いて、図３ないし図７に示すように、光軸Ｌを中心として略円弧状でかつ光軸Ｌ方向に薄板状に一体成型されており、ベース１０に沿って回動するように形成された円弧部３１、光軸Ｌ方向に突出するように円弧部３１に連続して形成されて外力が及ぼされる外力作用部３２、回動方向に伸縮自在で引っ張り又は押圧の付勢力を発生するべく円弧部３１の両端に連続して形成された２つの弾性変形部３３，３４、第１バリア羽根２１の係合部２１ｂと第２バリア羽根２２の係合部２２ｂにそれぞれ係合するべく各々の弾性変形部３３，３４に連続して形成された２つの係合部３５，３６を一体的に画定している。
【００１９】
円弧部３１は、弾性変形しないように同一の幅で周方向に所定長さをなす円弧状に形成されており、ベース１０の外周リブ１２とガイド部１５に挟まれて、光軸Ｌ回りに回動自在に支持されている。
外力作用部３２は、円弧部３１の略中央領域から光軸方向Ｌに突出するように形成されており、図２に示すように、回転筒２ａの切り欠き溝２ａ´に嵌合される寸法に形成されている。
２つの弾性変形部３３，３４は、図３ないし図７に示すように、円弧部３１の両端から全体の輪郭として外周リブ１２に沿う円弧状に伸長して形成され、かつ、回動方向（周方向）において弾性変形して伸縮自在となるべく連続する複数の屈曲部分を画定するように形成されている。
そして、２つの弾性変形部３３，３４は、それぞれ伸びたときに元の状態に弾性復帰しようとして引っ張り力を発生し、縮んだときに元の状態に弾性復帰しようとして押圧力を発生するようになっている。
【００２０】
２つの係合部３５，３６は、図３ないし図７に示すように、各々の弾性変形部３３，３４から全体の輪郭として外周リブ１２に沿う円弧状に伸長して形成され、第１バリア羽根２１のＵ字状の係合部２１ｂ及び第２バリア羽根２２のＵ字状の係合部２２ｂにそれぞれ入り込むように径方向内側に突出する略Ｌ字形状に形成されている。
また、２つの係合部３５，３６には、図３（ａ）に示すように、光軸Ｌ方向に突出してベース１０の長孔１６に摺動自在に挿入されるピン３５ａ，３６ａが設けられている。
これにより、２つの係合部３５，３６は、ピン３５ａ，３６ａが長孔１６に沿って移動することにより、外周リブ１２から径方向の内側に離れないように規制されて、回動方向（周方向）に往復動するようにガイドされている。
【００２１】
このように、弾性回動部材３０は、円弧状でかつ薄板状に形成されているため、光軸Ｌ方向において装置を薄型化でき、又、弾性回動部材３０がベース１０の外周リブ１２に沿って回動自在となっているため、ベース１０の形状を簡略化しつつ弾性回動部材３０を円滑に回動させることができる。
【００２２】
カバー４０は、図３（ｂ）、図４、図６に示すように、光軸Ｌ方向に開口部する略矩形の開口部４０ａを中央に画定する平坦な円板部４１、円板部４１の外縁領域に形成された円弧状の切り欠き部４２、ベース１０の支軸１３を嵌合させる２つの嵌合孔４３、ベース１０の４つの嵌合部１７を嵌合させる４つの嵌合孔４４等を備えている。
切り欠き部４２は、弾性回動部材３０が回動する角度範囲おいて外力作用部３２の移動を許容するべく、周方向において所定の長さに形成されている。
【００２３】
そして、カバー４０は、ベース１０に対して、第１バリア羽根２１及び第２バリア羽根２２が組み込まれ、又、弾性回動部材３０が組み込まれた状態で、外力作用部３２を切り欠き部４２から突出させ、嵌合孔４３に支軸１３を嵌合させ、嵌合孔４４に嵌合部１７を嵌合させることで、ベース１０に結合される。これにより、第１バリア羽根２１、第２バリア羽根２２、及び弾性回動部材３０は、ベース１０とカバー４０により覆われた状態となる。
このように、ベース１０に対して、バリア羽根２１，２２を揺動自在に組み付け、弾性回動部材３０を回動自在に組み付け、バリア羽根２１，２２及び弾性回動部材３０を覆うようにカバー４０をベース１０に組み付けることで、装置の組み付けが完了する。
【００２４】
次に、レンズバリア装置Ｍの動作について、図２、図４ないし図７を参照しつつ説明する。
先ず、レンズ鏡筒２が沈動状態に至るとき、回転筒２ａにより一方向への回転駆動力が外力作用部３２に及ぼされて、弾性回動部材３０は、図４及び図５に示すように、光軸Ｌ回りの一方向（Ｒ１）に回転して、弾性変形部３３が適宜伸びて係合部３５が係合部２１ｂに引っ張り力を及ぼし、又、弾性変形部３４が適宜縮んで係合部３６が係合部２２ｂに押圧力を及ぼす。これにより、第１バリア羽根２１及び第２バリア羽根２２は、開口部１０ａを閉鎖する閉鎖位置に移動して、互いに当接した状態に保持される。
【００２５】
ここで、仮に第１バリア羽根２１及び第２バリア羽根２２を開けようとする外力が加わると、弾性変形部３３が適宜弾性的に伸び又弾性変形部３４が適宜縮んで、第１バリア羽根２１及び第２バリア羽根２２の開き動作を許容するため、第１バリア羽根２１及び第２バリア羽根２２やその他の部品の破損等を防止することができる。
【００２６】
次に、レンズ鏡筒２が繰り出すとき、回転筒２ａにより他方向への回転駆動力が外力作用部３２に及ぼされて、弾性回動部材３０は、図６及び図７に示すように、光軸Ｌ回りの他方向（Ｒ２）に回転して、弾性変形部３３が適宜縮んで係合部３５が係合部２１ｂに押圧力を及ぼし、又、弾性変形部３４が適宜伸びて係合部３６が係合部２２ｂに引っ張り力を及ぼす。これにより、第１バリア羽根２１及び第２バリア羽根２２は、開口部１０ａを全開する開放位置に移動し、それぞれストッパ１４に当接して停止する。
この開放状態において、弾性変形部３３，３４はそれぞれ弾性変形による付勢力を発生しているため、第１バリア羽根２１及び第２バリア羽根２２は、ガタツキ無く開放位置に確実に保持される。
【００２７】
上記のように、このレンズバリア装置Ｍは、ベース１０、バリア羽根２１，２２、弾性回動部材３０、カバー４０により構成されるため、従来の装置に比べて部品数が少なく、構造の簡素化、装置の小型化、薄型化、低コスト化等を達成しつつ、バリア羽根２１，２２を円滑に開閉駆動することができる。
【００２８】
図８ないし図１４は、本発明に係るレンズバリア装置の他の実施形態を示すものであり、図８はレンズバリア装置を搭載したデジタルスチルカメラの一部破断した外観斜視図、図９はデジタルスチルカメラの分解斜視図、図１０はレンズバリア装置の斜視図、図１１はレンズバリア装置のカバーを外した分解斜視図、図１２はレンズバリア装置においてカバーを外した状態での内部を示す平面図、図１３はレンズバリア装置のカバーを外した分解斜視図、図１４はレンズバリア装置においてカバーを外した状態での内部を示す平面図である。尚、前述の実施形態と同一の構成については、同一の符号を付して説明を省略する。
【００２９】
デジタルスチルカメラは、図８及び図９に示すように、筐体１´、筐体１´の一側部に設けられた開口部１ａ´の背後に配置されたレンズバリア装置Ｍ´、レンズバリア装置Ｍ´の背後に配置されてプリズムにより光軸が直角に屈曲させられるカメラユニット２´、レンズバリア装置Ｍ´を手動操作により開閉駆動する操作部３´、その他種々の部品、制御基板（不図示）等を備えている。
操作部３´は、不使用時に一方向に回転させることで、一方向への回転駆動力をレンズバリア装置Ｍ´に及ぼし、バリア羽根２１´，２２´が開口部１ａ´（１０ａ，４０ａ）を閉鎖し、又、使用時に他方向に回転させることで、他方向への回転駆動力をレンズバリア装置Ｍ´に及ぼし、バリア羽根２１´，２２´が開口部１ａ´（１０ａ，４０ａ）を開放するようになっている。
【００３０】
レンズバリア装置Ｍ´は、図１０（ａ），（ｂ）、図１１ないし図１４に示すように、略円板状に形成されたベース１０´、ベース１０´に対して揺動自在に支持された第１バリア羽根２１´及び第２バリア羽根２２´、駆動機構としての弾性回動部材３０´及び第２の弾性変形部材３０´´、ベース１０´に結合される略円板状のカバー４０´等を備えている。
【００３１】
ベース１０´は、図１１ないし図１４に示すように、開口部１０ａを中央に画定する平坦な円板部１１、外周リブ１２、２つの支軸１３、２つのストッパ１４、２つのガイド部１５、２つの長孔１６、４つの円柱状の嵌合部１７、２つの切り欠き部１８´等を備えている。
２つの切り欠き部１８´は、図１０（ｂ）、図１１ないし図１４に示すように、第１バリア羽根２１´の係合部２１ｂ´及び第２バリア羽根２２´の係合部２２ｂ´の移動を許容するように形成されている。
【００３２】
第１バリア羽根２１´は、図１１ないし図１４に示すように、光軸方向Ｌにおいて薄板状に形成されており、支軸１３が通される円孔２１ａ、弾性回動部材３０´の係合部３５´及び第２の弾性回動部材３０´´の係合部３６´が係合される平板状の係合部２１ｂ´を画定している。
第２バリア羽根２２´は、図１１ないし図１４に示すように、光軸方向Ｌにおいて薄板状に形成されており、支軸１３が通される円孔２２ａ、弾性回動部材３０´の係合部３６´及び第２の弾性回動部材３０´´の係合部３５´が係合される平板状の係合部２２ｂ´を画定している。
すなわち、第１バリア羽根２１´及び第２バリア羽根２２´は、同一形状に形成されており、光軸Ｌを中心として点対称に配置されている。
【００３３】
弾性回動部材３０´は、弾性変形可能な樹脂材料を用いて、図１１ないし図１４に示すように、光軸Ｌを中心として略円弧状でかつ光軸Ｌ方向に薄板状に一体成型されており、円弧部３１、外力作用部３２、２つの弾性変形部３３，３４、第１バリア羽根２１´の係合部２１ｂ´と第２バリア羽根２２´の係合部２２ｂ´にそれぞれ係合するべく各々の弾性変形部３３，３４に連続して形成された２つの係合部３５´，３６´を一体的に画定している。
２つの係合部３５´，３６´は、図１１ないし図１４に示すように、各々の弾性変形部３３，３４から全体の輪郭として外周リブ１２に沿う円弧状に伸長して形成され、それぞれの先端部において、第１バリア羽根２１の係合部２１ｂ´及び第２バリア羽根２２´の係合部２２ｂ´にそれぞれ回動方向（周方向）において当接するピン３５ａ´，３６ａ´を有するように形成されている。
尚、２つのピン３５ａ´，３６ａ´は、図１０（ａ）に示すように、光軸Ｌ方向に突出してベース１０´の長孔１６に摺動自在に挿入されるようになっている。
これにより、２つの係合部３５´，３６´は、ピン３５ａ´，３６ａ´が長孔１６に沿って移動することにより、外周リブ１２から径方向の内側に離れないように規制されて、回動方向（周方向）に往復動するようにガイドされている。
【００３４】
第２の弾性回動部材３０´´は、弾性変形可能な樹脂材料を用いて、図１１ないし図１４に示すように、光軸Ｌを中心として略円弧状でかつ光軸Ｌ方向に薄板状に一体成型されており、円弧部３１、外力作用部３２、２つの弾性変形部３３，３４、第２バリア羽根２２´の係合部２２ｂ´と第１バリア羽根２１´の係合部２１ｂ´にそれぞれ係合するべく各々の弾性変形部３３，３４に連続して形成された２つの係合部３５´，３６´を一体的に画定している。
２つの係合部３５´，３６´は、図１１ないし図１４に示すように、各々の弾性変形部３３，３４から全体の輪郭として外周リブ１２に沿う円弧状に伸長して形成され、それぞれの先端部において、第２バリア羽根２２の係合部２２ｂ´及び第１バリア羽根２１´の係合部２１ｂ´にそれぞれ回動方向（周方向）において当接するピン３５ａ´，３６ａ´を有するように形成されている。
尚、２つのピン３５ａ´，３６ａ´は、図１０（ａ）に示すように、光軸Ｌ方向に突出してベース１０´の長孔１６に摺動自在に挿入されるようになっている。
これにより、２つの係合部３５´，３６´は、ピン３５ａ´，３６ａ´が長孔１６に沿って移動することにより、外周リブ１２から径方向の内側に離れないように規制されて、回動方向（周方向）に往復動するようにガイドされている。
【００３５】
このように、弾性回動部材３０´及び第２の弾性回動部材３０´´は、円弧状でかつ薄板状に形成されているため、光軸Ｌ方向において装置を薄型化でき、又、弾性回動部材３０´及び第２の弾性回動部材３０´´がベース１０´の外周リブ１２に沿って回動自在となっているため、ベース１０´の形状を簡略化しつつ弾性回動部材３０を円滑に回動させることができる。
【００３６】
カバー４０´は、図１０（ｂ）、図１１、図１３に示すように、開口部４０ａを中央に画定する平坦な円板部４１、切り欠き部４２、支軸１３を嵌合させる２つの嵌合孔４３、４つの嵌合部１７を嵌合させる４つの嵌合孔４４、ピン３５ａ´，３６ａ´に移動を許容する２つの切り欠き部４５´等を備えている。
そして、カバー４０´は、ベース１０´に対して、第１バリア羽根２１´及び第２バリア羽根２２´が組み込まれ、又、弾性回動部材３０´及び第２の弾性回動部材３０´´が組み込まれた状態で、外力作用部３２を切り欠き部４２から突出させ、嵌合孔４３に支軸１３を嵌合させ、嵌合孔４４に嵌合部１７を嵌合させ、ピン３５ａ´，３６ａ´を切り欠き部４５´から露出させることで、ベース１０´に結合される。これにより、第１バリア羽根２１´、第２バリア羽根２２´、弾性回動部材３０´及び第２の弾性回動部材３０´´は、ベース１０´とカバー４０´により覆われた状態となる。
このように、ベース１０´に対して、バリア羽根２１´，２２´を揺動自在に組み付け、弾性回動部材３０´，３０´´を回動自在に組み付け、バリア羽根２１´，２２´及び弾性回動部材３０´，３０´´を覆うようにカバー４０´をベース１０´に組み付けることで、装置の組み付けが完了する。
【００３７】
次に、レンズバリア装置Ｍ´の動作について、図８ないし図１４を参照しつつ説明する。
先ず、不使用時には、操作部３´を一方向に回転させることにより一方向への回転駆動力が外力作用部３２に及ぼされて、弾性回動部材３０´及び第２の弾性変形部材３０´´は、図１１及び図１２に示すように、光軸Ｌ回りの一方向（Ｒ１）に回転して、弾性回動部材３０´の弾性変形部３４が適宜縮んで係合部３６´（ピン３６ａ´）が第２バリア羽根２２´の係合部２２ｂ´に押圧力を及ぼし、第２の弾性回動部材３０´´の係合部３５´（ピン３５ａ´）及び弾性変形部３３が押圧されて、弾性変形部３３は縮んで付勢力を発生する。すると、その復帰作用によって生じる押圧力（付勢力）により、第２の弾性回動部材３０´´も一方向（Ｒ１）に回転し、第２の弾性回動部材３０´´の弾性変形部３４が適宜縮んで係合部３５´（ピン３５ａ´）が第１バリア羽根２１´の係合部２１ｂ´に押圧力を及ぼす。また、この押圧力により、弾性回動部材３０´の弾性変形部３３も適宜縮んで付勢力を及ぼす。これにより、第１バリア羽根２１´及び第２バリア羽根２２´は、開口部１０ａを閉鎖する閉鎖位置に移動して、互いに当接した状態に保持される。
【００３８】
ここで、仮に第１バリア羽根２１´及び第２バリア羽根２２´を開けようとする外力が加わると、弾性回動部材３０及び第２の弾性回動部材３０´´の弾性変形部３３，３４が適宜弾性的に伸縮して、第１バリア羽根２１´及び第２バリア羽根２２´の開き動作を許容するため、第１バリア羽根２１´及び第２バリア羽根２２´やその他の部品の破損等を防止することができる。
【００３９】
次に、使用時には、操作部３´を他方向に回転させることにより他方向への回転駆動力が外力作用部３２に及ぼされて、弾性回動部材３０´及び第２の弾性変形部材３０´´は、図１３及び図１４に示すように、光軸Ｌ回りの他方向（Ｒ２）に回転して、弾性回動部材３０´の弾性変形部３３が適宜縮んで係合部３５´（ピン３５ａ´）が第１バリア羽根２１´の係合部２１ｂ´に押圧力を及ぼし、第２の弾性回動部材３０´´の係合部３６´（ピン３６ａ´）及び弾性変形部３４が押圧されて、弾性変形部３４は縮んで付勢力を発生する。すると、その復帰作用によって生じる押圧力（付勢力）により、第２の弾性回動部材３０´´も他方向（Ｒ２）に回転し、第２の弾性回動部材３０´´の弾性変形部３３が適宜縮んで係合部３６´（ピン３６ａ´）が第２バリア羽根２２´の係合部２２ｂ´に押圧力を及ぼす。また、この押圧力により、弾性回動部材３０´の弾性変形部３４も適宜縮んで付勢力を及ぼす。これにより、第１バリア羽根２１´及び第２バリア羽根２２´は、開口部１０ａを全開する開放位置に移動して、ストッパ１４に当接して停止する。
この開放状態において、弾性変形部３３，３４はそれぞれ弾性変形による付勢力を発生しているため、第１バリア羽根２１´及び第２バリア羽根２２´は、ガタツキ無く開放位置に確実に保持される。
【００４０】
上記のように、このレンズバリア装置Ｍ´は、ベース１０´、バリア羽根２１´，２２´、弾性回動部材３０´、第２の弾性回動部材３０´´、及びカバー４０´により構成されるため、従来の装置に比べて部品数が少なく、構造の簡素化、装置の小型化、薄型化、低コスト化等を達成しつつ、バリア羽根２１´，２２´を円滑に開閉駆動することができる。
【００４１】
上記実施形態においては、バリア羽根として２枚のバリア羽根２１，２２、２１´，２２２´を示したが、これに限定されるものではなく、１枚のバリア羽根、１つの弾性変形部及び１つの係合部を含む弾性回動部材を採用してもよい。
上記実施形態においては、弾性回動部材として、円弧状の弾性回動部材３０，３０´，３０´´を示したが、これに限定されるものではなく、１つの円環状の弾性回動部材を採用してもよい。
上記実施形態においては、弾性回動部材として、樹脂材料を用いて一体成型したものを示したが、これに限定されるものではなく、円弧部、弾性変形部、係合部が連続的に形成されるものであれば、その他の材料を用いて形成されてもよい。
【産業上の利用可能性】
【００４２】
以上述べたように、本発明に係るレンズバリア装置は、部品点数の削減、構造の簡素化、部材形状の簡略化、低コスト化、軽量化等を達成しつつ、円滑な開閉動作が得られるため、特に薄型化及び小型化等が要求されるデジタルスチルカメラ、デジタルビデオカメラ等に適用できるのは勿論のこと、レンズを含むプロジェクタあるいはその他の光学機器等においても有用である。
【図面の簡単な説明】
【００４３】
【図１】本発明に係るレンズバリア装置を搭載したデジタルスチルカメラの一実施形態を示す外観斜視図である。
【図２】図１に示すデジタルスチルカメラの分解斜視図である。
【図３】図１に示すデジタルスチルカメラに搭載されたレンズバリア装置を示すものであり、（ａ）は正面側から見た斜視図、（ｂ）は背面側から見た斜視図である。
【図４】レンズバリア装置のカバーを外した分解斜視図である。
【図５】レンズバリア装置のカバーを外した状態での平面図である。
【図６】レンズバリア装置のカバーを外した分解斜視図である。
【図７】レンズバリア装置のカバーを外した状態での平面図である。
【図８】本発明に係るレンズバリア装置を搭載したデジタルスチルカメラの他の実施形態を示す外観斜視図である。
【図９】図８に示すデジタルスチルカメラの分解斜視図である。
【図１０】図８に示すデジタルスチルカメラに搭載されたレンズバリア装置を示すものであり、（ａ）は正面側から見た斜視図、（ｂ）は背面側から見た斜視図である。
【図１１】レンズバリア装置のカバーを外した分解斜視図である。
【図１２】レンズバリア装置のカバーを外した状態での平面図である。
【図１３】レンズバリア装置のカバーを外した分解斜視図である。
【図１４】レンズバリア装置のカバーを外した状態での平面図である。
【符号の説明】
【００４４】
Ｌ  光軸
１，１´  筐体
１ａ´  開口部
２  レンズ鏡筒
２ａ  回転筒
３  フロントカバー
３ａ  開口部
３´  操作部
Ｍ，Ｍ´  レンズバリア装置
１０，１０´  ベース
１０ａ  開口部
１１  円板部
１２  外周リブ
１３  支軸
１４  ストッパ
１５  ガイド部
１６  長孔
１７  嵌合部
１８´  切り欠き部
２１，２１´  第１バリア羽根
２１ａ  円孔
２１ｂ，２１ｂ´  係合部
２２，２２´  第２バリア羽根
２２ａ  円孔
２２ｂ，２２ｂ´  係合部
３０，３０´  弾性回動部材（駆動機構）
３１  円弧部
３２  外力作用部
３３，３４  弾性変形部
３５，３５´，３６，３６´  係合部
３５ａ，３５ａ´，３６ａ，３６ａ´  ピン
３０´´  第２の弾性回動部材（駆動機構）
４０，４０´  カバー
４０ａ  開口部
４１  円板部
４２  切り欠き部
４３，４４  嵌合孔
４５´  切り欠き部
【図１】
2010085784.tif 000003
【図２】
2010085784.tif 000004
【図３】
2010085784.tif 000005
【図４】
2010085784.tif 000006
【図５】
2010085784.tif 000007
【図６】
2010085784.tif 000008
【図７】
2010085784.tif 000009
【図８】
2010085784.tif 000010
【図９】
2010085784.tif 000011
【図１０】
2010085784.tif 000012
【図１１】
2010085784.tif 000013
【図１２】
2010085784.tif 000014
【図１３】
2010085784.tif 000015
【図１４】
2010085784.tif 000016